(57)【要約】エネルギー貯蔵および放出システムおよび／または時計装置は、相互に流体連通され、（液体のみまたは気体と組み合わされた）１つまたは異なる流体が充填された２つの弾性ベローズからなり、これにより機械的な動力の伝達を可能とする。このシステムに荷重をかけるためのエネルギーは、システムのための（手動または自動のいずれかの）外部巻き上げによって付与される。この巻き上げ力またはローディング力（ｌｏａｄｉｎｇ  ｆｏｒｃｅ）は、流体貯蔵部の一方に取り付けられたメカニズムによって伝達される。システムに荷重がかかると、内部の流体によって流体貯蔵部が伸縮する。流体貯蔵部は弾性とされ、その結果、一旦貯蔵部が伸縮すると、上記の手動または自動で行われる巻き上げからのエネルギーが除去または停止されると、システムは弾性的に荷重がかかっていない状態または緩和状態に戻ろうとするため、貯蔵されていたエネルギーを放出する。これによりいずれかの貯蔵部の直線運動が促され、医療から計時装置に至る、様々な分野において大いに実用的に対応可能な直線運動機構として使用することができる。一実施例では、メニスカスを形成するために並列に配置された少なくとも２つの非混合性の流体が用いられてもよく、これによってシステムがエネルギー状態を示すことができる。装置は、従来の主バネに代わる、腕時計の貯蔵エネルギー源の代替品として利用することができる。【選択図】図１
2016533503.tif 000002
【特許請求の範囲】
【請求項１】
基本的に閉ループとされた少なくとも２つの貯蔵部（１２、１４）からなるシステム（１０）であって、上記システムはエネルギーを貯蔵および放出するために上記貯蔵部の少なくとも１つに関連した弾性を貯蔵部の流体容量と併せて利用し、上記少なくとも２つの貯蔵部は相互に流体連通してなり、２つの貯蔵部は少なくとも１つの流体で充填されることを特徴とするシステム。
【請求項２】
上記流体は実質的に非圧縮性であることを特徴とする請求項１に記載のシステム。
【請求項３】
上記貯蔵部はアコーディオン型の貯蔵部であることを特徴とする請求項１に記載のシステム。
【請求項４】
少なくとも２つの非混合性の流体で充填されることを特徴とする請求項１に記載のシステム。
【請求項５】
上記２つの貯蔵部は異なる流体容量を有することを特徴とする請求項１に記載のシステム。
【請求項６】
請求項１に記載のシステムであって、上記少なくとも２つの貯蔵部に接続する流路をさらに具備し、その２つの貯蔵部を接続する一部が透明で使用者に視認可能であることを特徴とするシステム。
【請求項７】
請求項４に記載のシステムであって、さらにメニスカスを具備し、システムのエネルギー状態を示すために２つの流体の間にメニスカスを配置して利用されることを特徴とするシステム。
【請求項８】
請求項４に記載のシステムであって、少なくとも３つの流体と２つのメニスカスをさらに具備し、システムのエネルギー状態を示すために少なくとも３つの流体の間に少なくとも２つのメニスカスを配置して利用されることを特徴とするシステム。
【請求項９】
請求項６に記載のシステムであって、上記流路において視認可能なメニスカスをさらに具備し、上記メニスカスの位置にはソリッド・インジケーターが配置され、視認性を向上するために上記ソリッド・インジケーターは任意的に明るい色であることを特徴とするシステム。
【請求項１０】
上記ソリッド・インジケーターは球体であることを特徴とする請求項９に記載のシステム。
【請求項１１】
上記貯蔵部の関連した弾性はバネによって付与されることを特徴とする請求項１に記載のシステム。
【請求項１２】
上記関連した弾性は上記貯蔵部そのものの特性であることを特徴とする請求項１に記載のシステム。  
【請求項１３】
主バネを代替または増補するために、時計製作者による巻き上げシステムによって作動されることを特徴とする請求項１に記載のシステム。
【請求項１４】
時計ムーブメントを作動させる要素をさらに具備してなることを特徴とする請求項１に記載のシステム。
【請求項１５】
流体インジケーターを作動させる要素をさらに具備してなることを特徴とする請求項１に記載のシステム。
【請求項１６】
上記２つの貯蔵部は互いに異なる直径を有し、異なる直径を有する２つの貯蔵部を用いることで力を増幅またはてこ入れ（ｌｅｖｅｒｉｎｇ）させることを特徴とする請求項１に記載のシステム。
【請求項１７】
基本的に閉ループとされた少なくとも２つの貯蔵部からなる時計装置であって、上記システムはエネルギーを貯蔵および放出するために上記貯蔵部の少なくとも１つに関連した弾性を貯蔵部の流体容量と併せて利用し、上記少なくとも２つの貯蔵部は相互に流体連通してなり、２つの貯蔵部は少なくとも１つの流体で充填されることを特徴とする時計装置
【請求項１８】
上記流体は実質的に非圧縮性であることを特徴とする請求項１７に記載の時計装置。
【請求項１９】
上記貯蔵部はアコーディオン型であることを特徴とする請求項１７に記載の時計装置。
【請求項２０】
少なくとも２つの非混合性の流体が充填されることを特徴とする請求項１７に記載の時計装置。
【請求項２１】
上記２つの貯蔵部は異なる流体容量を有することを特徴とする請求項１７に記載の時計装置。
【請求項２２】
請求項１７に記載の時計装置であって、上記少なくとも２つの貯蔵部に接続する流路をさらに具備し、その２つの貯蔵部を接続する一部が透明で使用者に視認可能であることを特徴とする時計装置。
【請求項２３】
請求項２０に記載の時計装置であって、さらにメニスカスを具備し、時計装置のエネルギー状態を示すために２つの流体の間にメニスカスを配置してなることを特徴とする時計装置。
【請求項２４】
請求項２０に記載の時計装置であって、少なくとも３つの流体と２つのメニスカスをさらに具備し、時計装置のエネルギー状態を示すために少なくとも３つの流体の間に少なくとも２つのメニスカスを配置してなることを特徴とする時計装置。
【請求項２５】
請求項２２に記載の時計装置であって、上記流路において視認可能なメニスカスをさらに具備し、上記メニスカスの位置にはソリッド・インジケーターが配置され、視認性を向上するために上記ソリッド・インジケーターは任意的に明るい色であることを特徴とする時計装置。
【請求項２６】
上記ソリッド・インジケーターは球体であることを特徴とする請求項２５に記載の時計装置。
【請求項２７】
上記貯蔵部の関連した弾性はバネによって付与されることを特徴とする請求項１７に記載の時計装置。
【請求項２８】
上記関連した弾性は上記貯蔵部そのものの特性であることを特徴とする請求項１７に記載の時計装置。  
【請求項２９】
主バネを代替または増補するために時計製作者による巻き上げシステムによって作動されることを特徴とする請求項１７に記載の時計装置。
【請求項３０】
時計ムーブメントを作動する要素をさらに具備してなることを特徴とする請求項１７に記載の時計装置。
【請求項３１】
流体インジケーターを作動させる要素をさらに具備してなることを特徴とする請求項１７に記載の時計装置。
【請求項３２】
上記２つの貯蔵部は互いに異なる直径を有し、異なる直径を有する２つの貯蔵部を用いることで力を増加またはてこ入れ（ｌｅｖｅｒｉｎｇ）させることを特徴とする請求項１７に記載の時計装置。
【請求項３３】
時計装置の一部を付勢する方法であって、接続する流路を介して相互に流体連通するように２つの貯蔵部を配置し、該貯蔵部を本質的に非圧縮性の少なくとも１つの流体で充填し、少なくとも１つの上記貯蔵部に関連する弾性を利用して、エネルギーを貯蔵および放出するように、少なくとも時計装置の要素を作動するように少なくとも１つの流体を作動する方法からなることを特徴とする方法。
【発明の詳細な説明】
【著作権及び法律上の表示】
【０００１】
本特許文書に開示されるものの一部には、著作権保護の対象となる資料が含まれている。出願人は、特許商標庁の記録として特許開示されている特許文書に関しては、第三者によるファクシミリ複製に異論はないが、そうでない場合はいかなる場合も、すべての著作権を留保する。また、本願に記載される第三者の特許又は記事は、先行技術を理由として、本発明がその物件を先行する権利がないことを承認するものとして考慮すべきでない。
【背景技術】
【０００２】
本発明は、エネルギー貯蔵および放出システムに関し、より詳細には力を伝達するために液体媒体を用いるシステムと、それに関連する方法および時計に関する。先行技術の貯蔵および放出システムは、例えば主バネを具備してなる。従来とは異なる新規性のある方法で、従来システムの目的を達成可能な貯蔵および放出システムが求められている。
【発明の開示】
【０００３】
エネルギー貯蔵および放出システムは、相互に流体連通され、（流体のみまたは気体と組み合わされた）１つまたは複数の流体で充填された２つの弾性ベローズを具備してなり、これによって機械的な動力の伝達を可能にする。このシステムに荷重をかけるためのエネルギーは、システムのための（手動または自動のいずれかの）外部巻き上げによって付与される。この巻き上げ力またはローディング力（ｌｏａｄｉｎｇ  ｆｏｒｃｅ）は、流体貯蔵部の一方に取り付けられたメカニズムによって伝達される。システムに荷重がかかると、内部の流体によって流体貯蔵部が伸縮する。流体貯蔵部は弾性を有する。その結果、一旦貯蔵部が伸縮すると、上記の手動または自動で行われる巻き上げからのエネルギーが除去または停止されると、システムは弾性的に荷重がかかっていない状態または緩和状態に戻ろうとするため、貯蔵されていたエネルギーを放出する。これによりいずれかの貯蔵部の直線運動が促され、医療分野における適用および装置から計時装置に至る、様々な分野において大いに実用的に適合可能な直線運動機構として使用することができる。
【０００４】
一実施例では、システムのエネルギー状態を示すための、少なくとも２つの非混合性の流体が用いられてもよい。装置は、従来の主バネに代わる、腕時計の貯蔵エネルギー源の代替品として利用することができる。
【０００５】
本発明の目的は、従来の時計の主バネの新規の代替品を提供することである。
【０００６】
また、本発明の別の目的は、美観的および知的な面で人目を引くエネルギー貯蔵および放出装置を提供することである。
【０００７】
有利な点としては、２つの貯蔵部を用いることで、第１貯蔵部の変位を適合すること（ａｄａｐｔｉｏｎ  ｏｆ  ｄｉｓｐｌａｃｅｍｅｎｔ）が可能となるようにそれぞれの貯蔵部のサイジング（ｓｉｚｉｎｇ）が可能となり、より便利またはより適切なギアリングシステムを選択するため、または他の望ましい効果を生じるために利用可能な第２貯蔵部の所望速度での変位および応力の増幅に繋がる。
【０００８】
別の改変形態では、本発明は２つの貯蔵部を含む時計装置を提供する。２つの貯蔵部は弾性を有し、相互に流体連通され、エネルギーを貯蓄および放出する少なくとも１つの流体が充満されてなる。
【０００９】
また、さらに別の改変形態では、時計装置は液体、任意的には少なくとも２つの異なる液体で充満される。
【００１０】
また、さらに別の改変形態では、貯蔵部の大きさは同等ではなく、装置は流路を含み、該流路の貯蔵部を接続する部分は透明かつ視認的に形成される。
【００１１】
さらに別の改変形態では、時計装置はさらにメニスカスを含み、該メニスカスは時計装置のエネルギー状態を示すように２つの流体の間に配置される。
【００１２】
また、さらに別の改変形態では、時計装置はさらに少なくとも２つのメニスカスを含み、該少なくとも２つのメニスカスは少なくとも３つの異なる非混合性流体の間に配置され、メニスカスによって時計装置のエネルギー状態が示される。
【００１３】
また、さらに別の改変形態では、時計装置はメニスカスの位置にソリッド・インジケーター（ｓｏｌｉｄ  ｉｎｄｉｃａｔｏｒ）を備え、任意的に該ソリッド・インジケーターは視認性を向上するために明るい色とされる。
【００１４】
本発明のこれらおよびその他の目的は、図面、図面の簡単な説明および発明の詳細な説明においてさらに詳細が示される。
【図面の簡単な説明】
【００１５】
【図１Ａ】本発明のエネルギー貯蔵および放出装置の概略的な側面図である。
【図１Ｂ】本発明のエネルギー貯蔵および放出装置の概略的な平面図である。
【図２】本発明の３つの流体を示すメニスカスが使用される別の実施形態の部分的に概略的な側面図である。
【図３】本発明のシステムを使用した時計装置の斜視図である。
【００１６】
図面に示される要素は単純化及び明確性のために開示され、必ずしも正寸で描かれていないことは、当業者には明らかである。例えば、本発明の様々な実施形態の理解をより深めるために、図面のいくつかの要素の寸法は、その他の要素に対して強調して描かれていることもある。さらに、本件で用いられる「第１」、「第２」やその類の用語は、とりわけ、類似する要素を区別するために使用され、必ずしも順次的または時系的な順番を示すものではない。また、明細書および／または請求項における「正面」、「背面」、「上面」、「底面」やその類の用語は、便宜的な目的で使用され、必ずしも限定的な相対位置を総合的に表わすものではない。上記のように用いられる用語は、例えば本願で開示される様々な実施形態が、明確に図示又は説明される以外の構成および／または配向でも操作可能であるような、適切な状況下では置き換えられてもよいことを当業者は理解されたい。
【好適な実施形態の詳細な説明】
【００１７】
以下の説明は本質的に例示的であり、本願が出願された時点で発明者が知り得た本発明の最良の態様を説明するもので、本発明の範囲をいかなる意味でも制限するものではない。その結果として、本願で開示される例示的な実施形態におけるすべての要素の配置および／または機能は、本願発明の精神および範疇から逸脱することなく変更を加えることが可能である。
【００１８】
図１Ａおよび図１Ｂを参照すると、エネルギー貯蔵および放出装置１０は、相互に流体連通され、（この参照図では流体２０として描かれるが、流体のみまたは気体と組み合わされた）１つまたは複数の流体１６，２０が充填された２つの弾性ベローズ１２，１４から構成され、これによって機械的な動力の伝達を可能にする。貯蔵部１２、１４の関連する弾性は、貯蔵部の形状の特徴から、または付加的なバネ１５によって付与される。このシステム１０に荷重をかけるためのエネルギーは、システムのための（手動または自動いずれかの）巻き上げ・巻き下げシステム４３を用いた外部巻き上げによって付与される。この巻き上げ力またはローディング力２２は、流体貯蔵部の一方（本件においては貯蔵部１２）に取り付けられたメカニズム２４によって、通常はギヤリング２６を介して伝達される。ギヤリング２６は、ラック３０およびピニオン３２の装置を有して構成されてもよい。システム１０に荷重がかかると、（液体が少なくとも部分的に圧縮できない場合）内部の流体１６または２０（図２の実施形態では、その他５０または５４）によって流体貯蔵部１２、１４が場合によっては伸長および／または収縮する。通常の液体と異なり、流体貯蔵部１２、１４は弾性を有するため、一旦貯蔵部が充填または収縮すると、バネと同様に、上記の手動または自動で行われる巻き上げからのエネルギーが除去または停止されたとき、システムは弾性的に荷重がかかっていない状態または緩和状態に戻ろうとするため、貯蔵されていたエネルギーを放出する。これによりいずれか（通常は両方）の貯蔵部１２、１４の概ね直線の運動が促され、医療分野から計時装置に至る、様々な分野において大いに実用的に適合可能な直線運動機構として使用することができる。
【００１９】
ある実施形態では、ベローズ１２、１４は真鍮によって形成される。また、別の実施形態では、ベローズ１２、１４は銅によって形成される。また、別の実施形態では、ベローズ１２、１４はベリリウム銅によって形成される。ベローズ１２、１４は、任意的には金などの光輝塗料によって被覆される。本件で開示および説明される特定の実施は本発明およびその最適な形態を表したものであって、いかなる意味でも本発明の範囲を限定するものではないこと考慮されたい。本発明は様々な適用が可能であることを考慮されたい。
【００２０】
ある実施形態では、少なくとも２つの対称色（例えば、赤、青または黒色と白または透明色）の非混合性の流体１６、２０が用いられる。ここでは、それぞれの流体の質量と、毛細管４１、４１’および弾性流体貯蔵部の大きさによって、その間にて配置されたメニスカス４２の位置範囲が選択可能となり、さらに目盛２２に並列して配置されることで、システム１０によってエネルギー状態が示される。通常、流体１６、２０のうち少なくとも１つは液体とされる。装置１０は腕時計において、従来の主バネの代わりとなる代替の貯蔵エネルギー源として使用されてもよい。
【００２１】
ある実施形態では、貯蔵部１２、１４を接続する流路４０の一部は透明または半透明で使用者に視認可能とされ、目盛２２の隣に並列して配置される。本実施形態では、システム１０に含まれる２つの流体の間のメニスカス４２が目盛２２に並列して配置されることでエネルギー状態を示し、このようにシステム１０に貯蔵されたエネルギーが示される。システム１０は、従来の時計の主バネの代わりに、時計製作者による巻き上げシステム（ｗａｔｃｈｍａｋｅｒ’ｓ  ｗｉｎｄｉｎｇ  ｓｙｓｔｅｍ）  ２４（例えば、着用者の動きによって回転する質量を有する自動巻き上げ機構など）によって作動されることも可能である。
【００２２】
任意的に、システム１０は、（時針と分針を用いた表示部を有する）従来の時計ムーブメント、または参照として本件に組み込まれ、以下で説明される特許で開示されるような流体ディスプレイシステムを作動する時計ムーブメントによって作動されてもよい。また別の実施形態では、参照として組み込まれる特許文献における熱的に補償されたベローズ（補償毛細管インジケーター）などと同様に、システム１０によって誘発される変位は装置内の流体の熱膨張によって補正される。
【００２３】
次に図２を参照すると、３つの流体５０、５２、５４がどのように配置されるかが開示され、通常真ん中の流体５２は、２つのメニスカス６０、６２を形成する点状のインジケーターとなるように、高い視認性を有する異なる色（蛍光色など）で構成される。しかし、２つの流体１６、２０を用いてその境界面にソリッドボールを（図示されないが、図２における流体５２と同じ位置に）配置することで同様の効果を得ることが可能である。
【００２４】
本件で説明されるような２つの貯蔵部１２、１４の使用により、第１貯蔵部の変位を適合すること（ａｄａｐｔｉｏｎ  ｏｆ  ｄｉｓｐｌａｃｅｍｅｎｔ）が可能となるようにそれぞれの貯蔵部のサイジング（ｓｉｚｉｎｇ）が可能となる。これによって、より便利なギアリングシステムを選択するため、またはその他の所望の効果を得るために利用可能な第２貯蔵部１４の所望速度での変位に繋がる。２つのベローズ１２、１４を使用することで、その間にインジケーター流路４０を配置し、システムのエネルギー状態を示すことが可能となる。その他の実施形態は、参照することにより本願に組み込まれる優先出願に添付の付属書類に開示される。改変形態Ａ〜Ｂもまた、本願発明と組み合わせて使用される。本件発明では、ベローズ１２は、好ましくは周知の電気的または機械的時計ムーブメント２４によって駆動されるラック・ピニオンギアシステム３０、３２などによって駆動される。もちろん、ラック・ピニオンシステム３０、３２の代わりに、ねじやその他の適した駆動装置が用いられてもよい。
【００２５】
改変形態Ａの実施例
図３を参照すると、改変案Ａでは、本発明は腕時計１００として実施される。腕時計はベゼル、クリスタル１０２、少なくとも部分的に透明なダイヤル、流体変位装置を含む時計機構、毛細管マニホールド（ｃａｐｉｌｌａｒｙ  ｍａｎｉｆｏｌｄ）、時計ムーブメントサブアセンブリ、ケース躯体１０４およびストラップ１０６から構成される。周知の方法で、ベゼルはクリスタルを時計機構に対して、また時計機構をケース躯体に対して、時計機構を（雨、水、雪などの）要素から保護するように外側ハウジング内に封入する。ケーシングの下部もまた、時計の内部機構が使用者に見えるように透明とされてもよい。ブレスレット（図示なし）を取り付けるためのブレスレットピンが具備される。動力源は、ギヤトレインの動力となる時計バネを巻き上げる振動質量体のムーブメントとされることも可能であり、そのため、周知技術のような特徴的な期間を有する振り子のようなレギュレーターまたは振動ディスク（例えば、バランサー・タービン（ｂａｌａｎｃｉｅｒ／ｔｕｒｂｉｏｎ）など）によって回転率が制御される。
【００２６】
任意的に、貯蔵部内の流体は周知の方法で光ファイバーおよびＬＥＤ光源によって照射されてもよい。
【００２７】
改変形態Ｂの実施例
本改変形態では、流体の間のメニスカスが移動しても流体が混合しないように、流体流量を制限する、または制御された流量に制限するための方法が提供される。本改変形態は、少なくとも１つの制流体７０と、毛細流路または管部４０’を含んでなる。制流体７０は小孔７２が貫通されて形成される。毛細管４０’は少なくとも２つの非混合性の流体を受けるように適応される。制流体７０は、小孔７２が毛細管４０’の間を連通するように、毛細管４０’内に密閉的に取り付けられる。毛細管４０’は、任意的にその内表面が疎油性または疎水性に加工される。流体は、毛細管内に収容される流体の間に形成されるメニスカス４０、６０、６２を移動させるべく、制流体７０を通って毛細管４０’に送られる。本発明のこの実施形態の目的は、毛細管４０’内に収容される少なくとも２つの流体の間の界面またはメニスカス４２、６０、６２をより良好に制御し、混合を防止することである。
【００２８】
制流体７０は、毛細管４０’のコーティングと組み合わされると、本発明のエネルギー貯蔵システムに使用される際に大きな利点となる。制限器７０によって、管部４０’内の流体１６、２０または５０、５２、５４の間のメニスカス４２、６０、６２の過剰に急激な動きを防止する。
【００２９】
制流体７０は、セラミックまたは石材から製造されることが好ましいが、金属製であってもよい。制流体７０は円柱状の部品として形成される。制流体７０には（数ミクロンの直径を有する）小孔が、好ましくは制流体７０の軸に沿って配置される。制流体の機能は、メニスカスの安定を保持し、システムを保護することである。
【００３０】
制流体７０の孔または開口部７２は、０．０３から０．１ｍｍの直径を有する。毛細管の開口部は、０．６から１．０ｍｍ、好ましくは１．０ｍｍの直径を有する。室温、海面レベルにおいて０．３と８０ｃＰの範囲、好ましくは０．３から５ｃＰの粘度を有する流体では、制流体７０の孔部７２と毛細管４０’の開口部の直径の比率が１：５から１：１５であることが好ましい。
【００３１】
毛細管４０’および制流体７０は、円形の内側開口部７２を必要としない。実際には、正方形、三角形または不整形の開口部であってもよい。これらの開口部はプレートに形成された非円形の流路に適用することもできる。
【００３２】
制流体７０の孔部または開口部７２は、開口部の毛細管４０’に挿入される側の出口が、制流体の中心軸に対して一定の角度をなして毛細管４０’に接続されるように形成される。このようにメニスカスの中心から側部に流れを逸らせることにより、特にメニスカスが制流体の近くに配置される際に、流入する流体流によってメニスカス４２、６０、６２が乱される確率を低下させる。さらに、制流体７０の単一の中心孔に連通する孔部を複数設けることで、流入する流体流をメニスカスの中心から逸らすのに役立つ。
【００３３】
制流体を毛細管に取り付けるために、接着剤がいくつ用いられてもよい。２つの接着剤が特に効果があった。その１つは、シンナーで希釈された、ドイツのシュタインバッハに所在を置くＰａｎａｃｏｌ ＡＧの「ＶＩＴＲＡＬＩＴ」（登録商標）であり、「ＶＩＴＲＡＬＩＴ」は熱硬化（１０５℃で３０分）および／またはＵＶ硬化（ｓ＠ＵＶ−Ａ６０ｍＷ／ｃｍ２、厚さ：０．５ｍｍ）される。これは一液型エポキシであり、（２５℃で）−ｃＰｓの範囲の粘度を有する。もう一方のマサチューセッツ州ビレリカに所在を置くＥｐｏｘｙ  Ｔｅｃｈｎｏｌｏｇｙ，Ｉｎｃ．から入手可能な「ＥＰＯ−ＴＥＫ」（登録商標）３０１は、（６５℃で１時間）熱硬化される二液型（２０：５）エポキシであり、「ＶＩＴＲＡＬＩＴ（登録商標）」よりも格段に低い（２３℃で）１００〜２００ｃＰｓの範囲の粘度を有する。
【００３４】
本発明の有利な点は、従来の時計バネを使用する必要がない点である。
【００３５】
また別の有利な点は、システム１０のエネルギー状態をいつでも視認できる点である。
【００３６】
また別の有利な点は、システム１０はバッテリーなしで作動する点である。
【００３７】
以下の国際特許出願には、ピストンがカムによって駆動される制流体が開示されており、参照することにより本願に組み込まれると共に依拠し、引用文献はここに明記されたものとして本願に完全に組み込まれる。
ＰＣＴ出願番号ＰＣＴ／ＩＢ２０１０／００２０５４、２０１０年８月２０日出願、「流体インジケーター（Ｆｌｕｉｄ  Ｉｎｄｉｃａｔｏｒ）」
ＰＣＴ出願番号ＰＣＴ／ＩＢ２０１０／００２０５５、２０１０年８月２０日出願、「可視的インジケーターおよび流体ディスペンサー（Ｖｉｓｕａｌ  Ｉｎｄｉｃａｔｏｒ  ａｎｄ  Ｆｌｕｉｄ  Ｄｉｓｐｅｎｓｅｒ）」
ヨーロッパ特許出願番号ＥＰ２０１００７５２５９５、２０１０年９月１５日出願、「腕時計（Ｗｒｉｓｔｗａｔｃｈ）」
ＰＣＴ出願番号ＰＣＴ／ＵＳ２０１２／０４８０４４、２０１２年７月２５日出願、「流体ディスペンサー（Ｆｌｕｉｄ  Ｄｉｓｐｅｎｓｅｒ）」
ＰＣＴ出願番号ＰＣＴ／ＩＢ２０１２／００２５９１、２０１２年１２月５日出願、「流体インジケーターのための毛細管流制御システム（Ｃａｐｉｌｌａｒｙ  Ｆｌｏｗ  Ｃｏｎｔｒｏｌ  Ｓｙｓｔｅｍ  ｆｏｒ  Ｆｌｕｉｄ  Ｉｎｄｉｃａｔｏｒ）」
ＰＣＴ出願番号ＰＣＴ／ＩＢ２０１２／００２６４１、２０１２年１２月１０日出願、「低容量精密ベローズ（Ｌｏｗ  Ｖｏｌｕｍｅ  Ｐｒｅｃｉｓｉｏｎ  Ｂｅｌｌｏｗｓ」
ＰＣＴ出願番号ＰＣＴ／ＩＢ２０１３／０００６５９、２０１３年１月３０日出願、「乾燥キャリアを用いた注射装置（Ｉｎｊｅｃｔｉｏｎ  Ｄｅｖｉｃｅ  Ｕｓｉｎｇ  Ｄｒｙ  Ｃａｒｒｉｅｒ）」
ＰＣＴ出願番号ＰＣＴ／ＩＢ２０１３／０００６６０、２０１３年４月１２日出願、「補償毛細管インジケーター（Ｃｏｍｐｅｎｓａｔｅｄ  Ｃａｐｉｌｌａｒｙ  Ｉｎｄｉｃａｔｏｒ）」
【００３８】
本発明のその他の特徴および実施形態は、添付の請求項において説明される。
【００３９】
本願で用いられる「からなる」、「から構成される」やその他の同様の言い回しは、要素の非限定的な一覧を表すために用いられ、その要素一覧から構成される本発明の工程、方法、物品、構成または装置は記載される要素のみを含むわけではなく、本明細書に記載されるその他の要素を含むことも可能である。また、「を含む」、「を含んでなる」または「本質的に含む」といった言い回しは、別段に指定のない限り、列挙される要素のみに発明の範囲を限定する意図で用いられるものではない。本発明の実施に用いられる上記された要素、材料または構造の組み合わせまたは改良は、本発明の一般原則から逸脱することなく、当業者によってその他の設計に変更または適応することも可能である。
【００４０】
さらに、本発明は、新規性、進歩性及び産業上の利用性を具備すると考慮される本明細書、添付の請求項及び／又は図面において説明された全ての特徴の可能な全ての組み合わせから構成されることを考慮されたい。
【００４１】
上述された発明の実施形態において、様々な変更及び改良を加えることが可能である。本発明の、特定の具体的な実施形態が開示及び説明されたが、幅広い改良、変更及び置換が上述の実施形態では考慮される。例えば、このようなインジケーターは乗り物の速度またはＲＰＭインジケーターとして利用することも可能である。さらに、このインジケーターは体温または、運動時の心拍数などのその他のパラメーターを示すため、また医療装置や診断装置に用いられるインジケーターに使用されることも可能である。上記の説明には多くの特定事項が含まれるが、発明の範囲を限定するものとしてではなく、むしろ１つ又はその他の好適な実施形態の例示であると考慮されたい。場合によっては、本発明のいくつかの特徴は、対応する他の特徴を使用することなく用いられる。加えて、本願で使用される「弾性」という用語は可変という概念を包含し、すなわち容量が変動する貯蔵部は、個々の部品が弾性でなくても弾性チャンバーとみなされる。従って、上述の説明は広義に解釈され、単なる実例又は例示として理解され、本発明の精神及び範囲は本出願で最終的に発行される請求項によってのみ限定されるべきである。
【００４２】
本願で開示および説明される特定の実施形態は、本発明の代表的および最適な態様を示すものであって、本発明の範囲を制限することを意図したものでは決してないことを理解されたい。当業者には理解されるように、本発明はシステム、装置または方法として具現化することが可能である。
【００４３】
また、本願のシステムは、本願と同様の機能を有するすべての物品、サービスまたは情報の使用、販売および／または流通を意図したものである。
【００４４】
本願の明細書および図面は限定するためではなく例示的なものとして理解されたく、本願で説明されるすべての改良は、例えそれが出願時に明確に請求されていない場合でも、本願の請求する発明の範囲に包含されることを意図される。従って、本願発明の範囲は、上記された単なる例示案からではなく、添付される請求項、または後で補正あるいは追加される請求項、またはそれに法的に相当する物によって判断されるべきである。例えば、すべての方法または工程の請求項で記載されるステップは、特に記載のない限りどの順番であっても実行可能であり、請求項に記載される特定の順番に限定されるものではない。さらに、装置の請求項で記載される要素および／または部品は、本願と本質的に同様の成果をもたらす様々な置換で組立または操作的に構成されることも可能である。総じて、本願発明は請求項で記載される特定の構成に限定されるものではない。
【００４５】
本願で記載される便益、利点や解決法は、請求項の必須、重要または不可欠な特徴または要素であると考慮されるべきではない。
【図１Ａ】
2016533503.tif 000003
【図１Ｂ】
2016533503.tif 000004
【図２】
2016533503.tif 000005
【図３】
2016533503.tif 000006
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
基本的に閉ループとされた少なくとも２つの貯蔵部（１２、１４）からなるシステム（１０）であって、上記システムはエネルギーを貯蔵および放出するために上記貯蔵部の少なくとも１つに関連した弾性を貯蔵部の流体容量と併せて利用し、上記少なくとも２つの貯蔵部は相互に流体連通してなり、２つの貯蔵部は少なくとも１つの流体で充填されることを特徴とするシステム。
【請求項２】
上記流体は実質的に非圧縮性であることを特徴とする請求項１に記載のシステム。
【請求項３】
上記貯蔵部はアコーディオン型の貯蔵部であることを特徴とする請求項１に記載のシステム。
【請求項４】
基本的に閉ループとされた少なくとも２つの貯蔵部（１２、１４）からなるシステム（１０）であって、上記システムはエネルギーを貯蔵および放出するために上記貯蔵部の少なくとも１つに関連した弾性を貯蔵部の流体容量と併せて利用し、上記少なくとも２つの貯蔵部は相互に流体連通してなり、２つの貯蔵部は少なくとも２つの非混合性の流体で充填されることを特徴とするシステム。
【請求項５】
上記２つの貯蔵部は異なる流体容量を有することを特徴とする請求項１に記載のシステム。
【請求項６】
請求項１に記載のシステムであって、上記少なくとも２つの貯蔵部に接続する流路をさらに具備し、その２つの貯蔵部を接続する一部が透明で使用者に視認可能であることを特徴とするシステム。
【請求項７】
請求項４に記載のシステムであって、さらにメニスカスを具備し、システムのエネルギー状態を示すために２つの流体の間にメニスカスを配置して利用されることを特徴とするシステム。
【請求項８】
請求項４に記載のシステムであって、少なくとも３つの流体と２つのメニスカスをさらに具備し、システムのエネルギー状態を示すために少なくとも３つの流体の間に少なくとも２つのメニスカスを配置してなることを特徴とするシステム。
【請求項９】
請求項６に記載のシステムであって、上記流路において視認可能なメニスカスをさらに具備し、上記メニスカスの位置にはソリッド・インジケーターが配置され、可視性を向上するために上記ソリッド・インジケーターは任意的に明るい色であることを特徴とするシステム。
【請求項１０】
上記ソリッド・インジケーターは球体であることを特徴とする請求項９に記載のシステム。
【請求項１１】
上記貯蔵部の関連した弾性はバネによって付与されることを特徴とする請求項１に記載のシステム。
【請求項１２】
上記関連した弾性は上記貯蔵部そのものの特性であることを特徴とする請求項１に記載のシステム。  
【請求項１３】
主バネを代替または増補するために時計製作者による巻き上げシステムによって作動されることを特徴とする請求項１に記載のシステム。
【請求項１４】
時計ムーブメントを作動する要素をさらに具備してなることを特徴とする請求項１に記載のシステム。
【請求項１５】
流体インジケーターを作動させる要素をさらに具備してなることを特徴とする請求項１に記載のシステム。
【請求項１６】
上記２つの貯蔵部は互いに異なる直径を有し、異なる直径を有する２つの貯蔵部を用いることで力を増加またはてこ入れ（ｌｅｖｅｒｉｎｇ）させることを特徴とする請求項１に記載のシステム。
【請求項１７】
基本的に閉ループとされた少なくとも２つの貯蔵部からなる時計装置であって、上記システムはエネルギーを貯蔵および放出するために上記貯蔵部の少なくとも１つに関連した弾性を貯蔵部の流体容量と併せて利用し、上記少なくとも２つの貯蔵部は相互に流体連通してなり、２つの貯蔵部は少なくとも１つの実質的に非圧縮性の流体で充填されることを特徴とする時計装置
【請求項１８】
上記貯蔵部はアコーディオン型であることを特徴とする請求項１７に記載の時計装置。
【請求項１９】
少なくとも２つの非混合性の流体が充填されることを特徴とする請求項１７に記載の時計装置。
【請求項２０】
上記２つの貯蔵部は異なる流体容量を有することを特徴とする請求項１７に記載の時計装置。
【請求項２１】
請求項１７に記載の時計装置であって、上記少なくとも２つの貯蔵部に接続する流路をさらに具備し、その２つの貯蔵部を接続する一部が透明で使用者に視認可能であることを特徴とする時計装置。
【請求項２２】
請求項１９に記載の時計装置であって、さらにメニスカスを具備し、時計装置のエネルギー状態を示すために２つの流体の間にメニスカスを配置してなることを特徴とする時計装置。
【請求項２３】
請求項１９に記載の時計装置であって、少なくとも３つの流体と２つのメニスカスをさらに具備し、時計装置のエネルギー状態を示すために少なくとも３つの流体の間に少なくとも２つのメニスカスを配置してなることを特徴とする時計装置。
【請求項２４】
請求項２１に記載の時計装置であって、上記流路において視認可能なメニスカスをさらに具備し、上記メニスカスの位置にはソリッド・インジケーターが配置され、可視性を向上するために上記ソリッド・インジケーターは任意的に明るい色であることを特徴とする時計装置。
【請求項２５】
上記ソリッド・インジケーターは球体であることを特徴とする請求項２４に記載の時計装置。
【請求項２６】
上記貯蔵部の関連した弾性はバネによって付与されることを特徴とする請求項１７に記載の時計装置。
【請求項２７】
上記関連した弾性は上記貯蔵部そのものの特性であることを特徴とする請求項１７に記載の時計装置。  
【請求項２８】
主バネを代替または増補するために時計製作者による巻き上げシステムによって作動されることを特徴とする請求項１７に記載の時計装置。
【請求項２９】
時計ムーブメントを作動する要素をさらに具備してなることを特徴とする請求項１７に記載の時計装置。
【請求項３０】
流体インジケーターを作動させる要素をさらに具備してなることを特徴とする請求項１７に記載の時計装置。
【請求項３１】
上記２つの貯蔵部は互いに異なる直径を有し、異なる直径を有する２つの貯蔵部を用いることで力を増幅またはてこ入れ（ｌｅｖｅｒｉｎｇ）させることを特徴とする請求項１７に記載の時計装置。
【請求項３２】
時計装置の一部を付勢する方法であって、接続する流路を介して相互に流体連通するように２つの貯蔵部を配置し、該貯蔵部を本質的に非圧縮性の少なくとも１つの流体で充填し、少なくとも１つの上記貯蔵部に関連する弾性を利用して、エネルギーを貯蔵および放出するように、少なくとも時計装置の要素を作動するように少なくとも１つの流体を作動する方法からなることを特徴とする方法。
【国際調査報告】
2016533503.tif 000007
2016533503.tif 000008
2016533503.tif 000009
2016533503.tif 000010
2016533503.tif 000011